(57)【要約】      （修正有）【課題】調整容易な無段調整支持スタンドを提供する。【解決手段】無段調整支持スタンドは、伸縮棒ユニット３０と操作ユニット及び制動ユニットからなり、上記伸縮棒ユニットは、外管３１と内管３２とからなる。上記操作ユニットは、上記内管に沿って伸びる連接棒４１と、該連接棒の一端に連結されるストッパー４２と、上記連接棒の他端に連結される押えブロック４３と、上記連接棒が連動される操作レバー４４とからなる。上記制動ユニットには、上記押えブロックを囲むケーシング管５１と複数の係止ブロック５２とがあり、上記ケーシング管は、上記内管に連結される連結部５１２と、摺動的に上記外管内に設置されるワーク部５１３と、複数の上記ワーク部の周面に形成されるワーク孔５１５とからなり、上記係止ブロックは、それぞれ、上記ワーク孔内に収納され、また、それぞれ、上記押えブロックに対向する応力面と、該応力面に相対して上記外管の内側に面する摩擦面５２２とを有する。【選択図】図６
0003161122.tif 000002
【実用新案登録請求の範囲】
【請求項１】
直立する外管と上記外管に貫設される内管を有し、上記内管に、上部の側面に位置する開口を有する伸縮棒ユニットと、
上記内管内に伸びる連接棒と、上記連接棒の一端に連結されるストッパーと、上記連接棒の他端に連結される押えブロックと、操作レバーと、があり、上記ストッパーが、上記開口の上方に位置し、上記押えブロックに、上記連接棒に連結される上結合部と、上記上結合部に相対して、上記内管の底部の外に位置する下結合部と、上記上結合部から上記下結合部へ直径が縮小する押え部と、があり、上記操作レバーに、上記内管の外側に位置する操作部と、上記操作部から上記内管に沿って上記連接棒により連動される作動部と、がある操作ユニットと、
ケーシング管と、複数の係止ブロックと、第一弾性素子と、があり、上記ケーシング管に、上記押えブロックに対応して伸びるビアホールと、上記ビアホールを囲み、上記内管の底部に連結される連結部と、上記連結部に相対して摺動的に上記外管内に設置されるワーク部と、複数の上記ワーク部の周面に形成され、上記ビアホールまで貫設されるワーク孔と、があり、上記係止ブロックが、それぞれ、上記ワーク孔に収納され、また、それぞれ、上記押えブロックに面する応力面と、上記応力面に相対して上記外管の内側に面する摩擦面と、を有し、上記第一弾性素子が、上記下結合部と上記ワーク部の底部との間に連接され、上記押えブロックが連動されて、常に上記係止ブロックの応力面に押える制動ユニットと、
が含有される、
ことを特徴とする無段調整支持スタンド。
【請求項２】
上記伸縮棒ユニットに、更に、上記外管の端部に嵌設され、上記内管を囲むストップリングがあり、上記ストップリングに、上記外管の内側に形成されるフランジと、上記ケーシング管のワーク部が上記ストップリングの下方に位置させ一面が上記フランジに対向する当接部とが形成されることを特徴とする請求項１に記載の無段調整支持スタンド。
【請求項３】
上記操作ユニットに、更に、上記内管の上部を囲むケーシングがあり、上記操作レバーの操作部が、上記ケーシングから突出することを特徴とする請求項１に記載の無段調整支持スタンド。
【請求項４】
上記操作ユニットの操作レバーに、更に、上記作動部に形成され上記連接棒が貫設される貫通孔を有し、上記作動部が、上方へ向かって上記ストッパーに当接することを特徴とする請求項１に記載の無段調整支持スタンド。
【請求項５】
制動ユニットの各係止ブロックに、更に、複数の上記摩擦面に形成される凹溝を有することを特徴とする請求項１に記載の無段調整支持スタンド。
【請求項６】
上記凹溝が、上記押え部に対応して、横方向に伸びることを特徴とする請求項５に記載の無段調整支持スタンド。  
【請求項７】
上記制動ユニットの各係止ブロックに、更に、上記応力面と上記摩擦面の頂面を連接して、幅が、上記頂面よりも小さい底面があり、各係止ブロックの幅が、上記頂面から上記底面へ縮小することを特徴とする請求項１に記載の無段調整支持スタンド。
【請求項８】
上記ケーシング管のワーク孔の幅が、上方から下方へ縮小することを特徴とする請求項１に記載の無段調整支持スタンド。
【請求項９】
上記押えブロックの押え部が、テーパーになることを特徴とする請求項１に記載の無段調整支持スタンド。
【請求項１０】
上記制動ユニットの各係止ブロックの応力面が、上記押え部に合わせて傾斜面になることを特徴とする請求項１に記載の無段調整支持スタンド。
【請求項１１】
上記操作ユニットに、更に、固定フロックと第二弾性素子を有し、上記固定フロックが、上記ストッパーの上方に位置して上記内管に固定され、上記第二弾性素子が、上記固定フロックと上記ストッパーとの間に連接されることを特徴とする請求項１に記載の無段調整支持スタンド。
【請求項１２】
更に、底座ユニットがあり、上記伸縮棒ユニットが、上記底座ユニットに直立することを特徴とする請求項１に記載の無段調整支持スタンド。
【請求項１３】
上記底座ユニットに、上記外管の底部に固定される固定盤と、上記外管に嵌設されて摺動的に上記固定盤に固定されるスタンド底座と、複数の、それぞれ、上記スタンド底座に枢着される支持棒があり、上記固定盤に、複数の長い貫通孔があり、上記貫通孔に、それぞれ、拡大孔部と縮小孔部とが形成され、上記スタンド底座に、上記貫通孔に貫設する固定柱があり、上記固定柱は、それぞれ、幅が、上記拡大孔部よりも小さくなり、上記縮小孔部よりも大きくなる凸部を有することを特徴とする請求項１２に記載の無段調整支持スタンド。
【考案の詳細な説明】
【技術分野】
【０００１】
本考案は、楽器周辺設備に適用される調整支持スタンドに関し、さらに詳しくは、無段調整支持スタンドに関する。
【背景技術】
【０００２】
従来の楽器スタンドに適用される伸縮棒構造は、楽器スタンドの高さを調整することができるが、上記の伸縮棒構造は、段階的に伸縮調整でき、また、各段階毎に、所定の高さに制限されるため、実用的とは言えないという問題がある。
【考案の開示】
【考案が解決しようとする課題】
【０００３】
従って、本考案の主な課題は、ユーザーの必要性に応じて、任意の高さに調整できる無段調整支持スタンドを提供することにある。
【課題を解決するための手段】
【０００４】
そこで本考案者は、前記の本考案の課題を解決するため、鋭意検討を重ねたところ、ユーザーにより、操作レバーを押えると、連接棒が、上方へ引かれるように連動され、押えブロックが、係止ブロックから脱離し、そのため、上記係止ブロックの摩擦面が、外管の内側に当接しなくなり、ケーシング管と上記外管の内側との摩擦力が、大幅に低減され、ユーザーが、任意に、内管を、上記外管に対して、上下に摺動でき、これにより、伸縮棒ユニットの全体長さを調整でき、調整し終えると、ユーザーが、上記操作レバーを釈放するだけで、第一弾性素子により、再び、上記押えブロックが、下へ変位するように連動され、上記係止ブロックの応力面に当接し、この時、上記係止ブロックが、応力により、上記ワーク部から外へ突出し、上記摩擦面が、再び、上記外管の内側に当接し、安定的に、上記内管に定位される効果が得られ、これにより、上記伸縮棒ユニットの全体長さを調整できる無段調整支持スタンドを提供できることに着目した。
【０００５】
かくして、本考案によれば、
請求項１において、直立する外管と上記外管に貫設される内管を有し、上記内管に、上部の側面に位置する開口がある伸縮棒ユニットと、上記内管内に伸びる連接棒と、上記連接棒の一端に連結されるストッパーと、上記連接棒の他端に連結される押えブロックと、操作レバーと、があり、上記ストッパーが、上記開口の上方に位置し、上記押えブロックに、上記連接棒に連結される上結合部と、上記上結合部に相対して、上記内管の底部の外に位置する下結合部と、上記上結合部から上記下結合部へ直径が縮小する押え部と、があり、上記操作レバーに、上記内管の外側に位置する操作部と、上記操作部から上記内管に沿って上記連接棒により連動される作動部と、がある操作ユニットと、ケーシング管と、複数の係止ブロックと、第一弾性素子と、があり、上記ケーシング管に、上記押えブロックに対応して伸びるビアホールと、上記ビアホールを囲み、上記内管の底部に連結される連結部と、上記連結部に相対して摺動的に上記外管内に設置されるワーク部と、複数の上記ワーク部の周面に形成され、上記ビアホールまで貫設されるワーク孔と、があり、上記係止ブロックが、それぞれ、上記ワーク孔に収納され、また、それぞれ、上記押えブロックに面する応力面と、上記応力面に相対して上記外管の内側に面する摩擦面と、を有し、上記第一弾性素子が、上記下結合部と上記ワーク部の底部との間に連接され、上記押えブロックが連動されて、常に上記の係止ブロックの応力面に押える制動ユニットと、が含有される、ことを特徴とする無段調整支持スタンドが提供される。
【０００６】
請求項２の考案によれば、上記伸縮棒ユニットに、更に、上記外管の端部に嵌設され、上記内管を囲むストップリングがあり、上記ストップリングに、上記外管の内側に形成されるフランジと、上記ケーシング管のワーク部が上記ストップリングの下方に位置させ一面が上記フランジに対向する当接部とが形成されることを特徴とする請求項１に記載の無段調整支持スタンドが提供される。
【０００７】
請求項３の考案によれば、上記操作ユニットに、更に、上記内管の上部を囲むケーシングがあり、上記操作レバーの操作部が、上記ケーシングから突出することを特徴とする請求項１に記載の無段調整支持スタンドが提供される。
【０００８】
請求項４の考案によれば、上記操作ユニットの操作レバーに、更に、上記作動部に形成され上記連接棒が貫設される貫通孔を有し、上記作動部が、上方へ向かって上記ストッパーに当接することを特徴とする請求項１に記載の無段調整支持スタンドが提供される。
【０００９】
請求項５の考案によれば、制動ユニットの各係止ブロックに、更に、複数の上記摩擦面に形成される凹溝を有することを特徴とする請求項１に記載の無段調整支持スタンドが提供される。
【００１０】
請求項６の考案によれば、上記凹溝が、上記押え部に対応して、横方向に伸びることを特徴とする請求項５に記載の無段調整支持スタンドが提供される。
【００１１】
請求項７の考案によれば、上記制動ユニットの各係止ブロックに、更に、上記応力面と上記摩擦面の頂面を連接して、幅が、上記頂面よりも小さい底面があり、各係止ブロックの幅が、上記頂面から上記底面へ縮小することを特徴とする請求項１に記載の無段調整支持スタンドが提供される。
【００１２】
請求項８の考案によれば、上記ケーシング管のワーク孔の幅が、上方から下方へ縮小することを特徴とする請求項１に記載の無段調整支持スタンドが提供される。
【００１３】
請求項９の考案によれば、上記押えブロックの押え部が、テーパーになることを特徴とする請求項１に記載の無段調整支持スタンドが提供される。
【００１４】
請求項１０の考案によれば、上記制動ユニットの各係止ブロックの応力面が、上記押え部に合わせて傾斜面になることを特徴とする請求項１に記載の無段調整支持スタンドが提供される。
【００１５】
請求項１１の考案によれば、上記操作ユニットに、更に、固定フロックと第二弾性素子を有し、上記固定フロックが、上記ストッパーの上方に位置して上記内管に固定され、上記第二弾性素子が、上記固定フロックと上記ストッパーとの間に連接されることを特徴とする請求項１に記載の無段調整支持スタンドが提供される。
【００１６】
請求項１２の考案によれば、更に、底座ユニットがあり、上記伸縮棒ユニットが、上記底座ユニットに直立することを特徴とする請求項１に記載の無段調整支持スタンドが提供される。
【００１７】
請求項１３の考案によれば、上記底座ユニットに、上記外管の底部に固定される固定盤と、上記外管に嵌設されて摺動的に上記固定盤に固定されるスタンド底座と、複数の、それぞれ、上記スタンド底座に枢着される支持棒があり、上記固定盤に、複数の長い貫通孔があり、上記貫通孔に、それぞれ、拡大孔部と縮小孔部とが形成され、上記スタンド底座に、複数の上記貫通孔に貫設する固定柱があり、上記固定柱は、それぞれ、幅が、上記拡大孔部よりも小さくなり、上記縮小孔部よりも大きくなる凸部を有することを特徴とする請求項１２に記載の無段調整支持スタンドが提供される。
【考案を実施するための最良の形態】
【００１８】
以下、図面を参照しながら、本考案の特徴や技術内容について、詳しく説明するが、それらの図面等は、参考や説明のためのものであり、本考案は、それらによって制限されるものではない。
【００１９】
図１と図５に示すように、本考案に係る第一のより良い実施例による無段調整支持スタンドは、底座ユニット２０と伸縮棒ユニット３０、操作ユニット４０及び制動ユニット５０を含有する。
【００２０】
図１乃至図４のように、上記底座ユニット２０には、固定盤２１とスタンド底座２２及び複数のそれぞれ上記スタンド底座２２に枢着される支持棒２３が含有される。
【００２１】
上記固定盤２１は、複数の長い貫通孔２１１を有し、上記貫通孔２１１には、それぞれ、拡大孔部２１２と縮小孔部２１３が形成される。
【００２２】
上記スタンド底座２２は、複数の長い貫通孔２１１に貫設される固定柱２２１を有し、上記固定柱２２１は、それぞれ、幅が、上記拡大孔部２１２よりも小さくなり、上記縮小孔部２１３よりも大きくなる凸部２２２が形成される。
【００２３】
上記固定盤２１が、回転して、上記凸部２２２が、上記縮小孔部  ２１３まで回転する時、ユーザーが、上記スタンド底座２２を釈放して保持する場合、上記伸縮棒ユニット３０が、上記固定盤２１とともに、落下して地面に触ることなく、ユーザーが、上記伸縮棒ユニット３０で、上記スタンド底座２２を回転させ、上記凸部２２２が、上記拡大孔部２１２まで回転すると、上記スタンド底座２２が摺動し、上記固定柱２２１が、上記貫通孔２１１から脱離し、上記支持棒２３が収納され、また、本実施例において、上記固定柱２２１と上記貫通孔２１１とは、数が三つであるが、一つ又は二つに設計しても良い。
【００２４】
図１と図５及び図６に示すように、上記伸縮棒ユニット３０は、上記底座ユニット２０に直立し、直立する外管３１と、上記外管３１に対応して貫設される内管３２及びストップリング３３が含有される。
【００２５】
上記外管３１の底部が、上記固定盤２１に固定され、上記スタンド底座２２が、上記外管３１に、摺動可能に上記固定盤２１に固定される。
【００２６】
上記内管３２は、上部の側面に位置する開口３２１を有する。
【００２７】
上記ストップリング３３は、上記外管３１の端部に嵌設され、上記内管３２を囲み、上記ストップリング３３は、上記外管３１の内側に形成されるフランジ３３１を有する。
【００２８】
上記操作ユニット４０は、上記内管３２に伸びる連接棒４１と、上記連接棒４１の一端に連結されるストッパー４２と、上記連接棒４１の他端に連結される押えブロック４３と、操作レバー４４と、上記内管３２の上部を囲むケーシング４５と、固定フロック４６と、第二弾性素子４７と、が含有される。
【００２９】
上記連接棒４１は、本実施例において、スチール条が用いられる。
【００３０】
上記ストッパー４２は、上記開口３２１の上方に位置する。
【００３１】
上記押えブロック４３は、上記連接棒４１に連結される上結合部４３１と、上記上結合部４３１に相対して、上記内管３２の底部の外に位置する下結合部４３２と、上記上結合部４３１から上記下結合部４３２へ直径が縮小する押え部４３３と、が設けられてある。
【００３２】
上記押え部４３３は、本実施例において、テーパー状である。
【００３３】
上記操作レバー４４は、上記内管３２の外側に位置する操作部４４１と、上記操作部４４１から上記内管３２まで伸び、上記連接棒４１が連動される作動部４４２と、上記作動部４４２に形成され、上記連接棒４１が貫設される貫通孔４４３と、が含有され、上記操作部４４１は、上記ケーシング４５から突出し、上記作動部４４２は、上方へ向かって上記ストッパー４２に当接する。
【００３４】
上記固定フロック４６は、上記ストッパー４２の上方に位置し、上記内管３２に固定される。
【００３５】
上記第二弾性素子４７は、上記固定フロック４６と上記ストッパー４２との間に連接される。
【００３６】
上記制動ユニット５０は、ケーシング管５１と複数の係止ブロック５２及び第一弾性素子５３が含有される。
【００３７】
上記ケーシング管５ｌは、上記押えブロック４３に対応して伸びるビアホール５１１と、上記ビアホール５１１を囲み、上記内管３２の底部に連結される連結部５１２と、上記連結部５１２に相対して摺動的に上記外管３１内に設置されるワーク部５１３と、複数の上記ワーク部５１３の周面に形成され、上記ビアホール５１１まで貫設されるワーク孔５Ｉ５と、がある。
【００３８】
上記ワーク部５１３は、上記ストップリング３３の下方に位置し、上記フランジ３３１に対向する当接部５１４が形成される。
上記ワーク孔５ｌ５は、幅が、上から下へ縮小する。
上記係止ブロック５２は、それぞれ、上記ワーク孔５１５に収納され、上記押えブロック４３に面する応力面５２１と、上記応力面５２１に相対して上記外管３１の内側に面する摩擦面５２２と、複数の上記摩擦面５２２に形成される凹溝５２３と、上記応力面５２１と上記摩擦面５２２の頂面５２４を連接し、幅が、上記頂面５２４より小さい底面５２５と、が含有され、各係止ブロック５２の幅は、上記頂面５２４から上記底面５２５へ縮小し、また、各係止ブロック５２は、三角形や矩形でもよい。
【００３９】
各応力面５２１は、上記押え部４３３に合わせて傾斜面になる。
【００４０】
上記凹溝５２３は、上記押え部４３３に対応して、横方向に伸びる。
【００４１】
上記第一弾性素子５３は、一端が、上記下結合部４３２に連接され、他端が、ピン５４により、上記ワーク部５１３の底部に連接され、上記第一弾性素子５３は、弾性により、上記押えブロック４３が連動されて、常に上記係止ブロック５２の応力面５２１に押える。
【００４２】
図５乃至図８に示すように、本考案によれば、ユーザーが、上記操作レバー４４を押すだけで、上記連接棒４１が上方へ変位するように連動し、上記押えブロック４３により上記第一弾性素子５３が引かれて、上記ストッパー４２が、上記第二弾性素子４７を圧縮し、また、上記押えブロック４３が、上記係止ブロック５２（図７を参照する）から脱離する。この時、上記係止ブロック５２の内側に、応力が存在しないため、上記摩擦面５２２が、上記外管３１の内側に当接しなくなり、上記ケーシング管５１と上記外管３１の内側との摩擦力が、大幅に低減され、ユーザーが、任意に、上記内管３２を、上記外管３１に対して上下へ摺動させることができる。これにより、上記伸縮棒ユニット３０の全体長さを調整でき、調整し終えると、ユーザーが、上記操作レバー４４を（図６に示すように）緩めるだけで、上記第一弾性素子５３の弾性により、再び、上記押えブロック４３が下方へ変位するように連動され、上記第二弾性素子４７の弾性により、上記ストッパー４２によって、上記連接棒４１が下方へ押えられるように連動する。そのため、上記押えブロック４３が、上記係止ブロック５２の応力面５２１に当接し、そして、上記係止ブロック５２が、応力により、上記ワーク部５１３から外方へ突出し、上記摩擦面５２２が、再び、上記外管３１の内側に当接し、安定的に、上記内管３２に定位される効果が得られ、これにより、上記伸縮棒ユニット３Ｏの全体長さを調整できる。
【００４３】
また、図９は、本考案に係る無段調整支持スタンドの第二のより良い実施例であり、上記第二のより良い実施例は、上述第一のより良い実施例とほぼ同じであり、上記係止ブロック５２の底面と上記ワーク孔５１５の底面５２５が、上から下へ伸びる傾斜面である箇所が異なり、上記傾斜面により、上記係止ブロック５２が、上記ワーク孔５１５に対して摺動する効果が向上し、これにより、調整作業がよりスムーズになる。
【００４４】
以上は、本考案のより良い実施例を説明したものであり、本考案は、それによって制限されるものではなく、本考案に係わる実用新案登録請求の範囲や明細書の内容に基づいて行った等価の変更や修正は、全てが、本考案の範囲内に含まれる。
【図面の簡単な説明】
【００４５】
【図１】本考案に係る第一のより良い実施例による無段調整支持スタンドの底座ユニットに外管が結合された構造の斜視図である。
【図２】本考案に係る第一のより良い実施例による無段調整支持スタンドの固定盤とスタンド底座との連接構造の斜視図である。
【図３】本考案に係る第一のより良い実施例による無段調整支持スタンドの固定盤の斜視図である。
【図４】本考案に係る第一のより良い実施例による無段調整支持スタンドのスタンド底座の斜視図である。
【図５】本考案に係る第一のより良い実施例による無段調整支持スタンドの伸縮棒ユニットと操作ユニット及び制動ユニットの構造の分解斜視図である。
【図６】本考案に係る第一のより良い実施例による無段調整支持スタンドの伸縮棒ユニットと操作ユニット及び制動ユニットの組立て構造の断面図である。
【図７】本考案に係る第一のより良い実施例による無段調整支持スタンドの操作レバーを押した状態の使用状態概念図である。
【図８】本考案に係る第一のより良い実施例による無段調整支持スタンドの押えブロックを上へ引かれた状態の使用状態の局部断面図である。
【図９】本考案に係る第二のより良い実施例による無段調整支持スタンドの局部断面図である。
【符号の説明】
【００４６】
２０      底座ユニット
２１      固定盤
２２      スタンド底座
２３      支持棒
３０      伸縮棒ユニット
３１      外管
３２      内管
３２１    開口
３３      ストップリング
３３１    フランジ
４０      操作ユニット
４１      連接棒
４２      ストッパー
４３      押えブロック
４３１    結合部
４３２    下結合部
４３３    押え部
４４      操作レバー
４４１    操作部
４４２    作動部
４４３    貫通孔
４５      ケーシング
４６      固定フロック
４７      第二弾性素子
５０      制動ユニット
５１      ケーシング管
５１１    ビアホール
５１２    連結部
５１３    ワーク部
５１４    当接部
５１５    ワーク孔
５２      係止ブロック
５２１    応力面
５２２    摩擦面
５２３    凹溝
５２４    頂面
５２５    底面
５３      第一弾性素子
５４      ピン
【図１】
0003161122.tif 000003
【図２】
0003161122.tif 000004
【図３】
0003161122.tif 000005
【図４】
0003161122.tif 000006
【図５】
0003161122.tif 000007
【図６】
0003161122.tif 000008
【図７】
0003161122.tif 000009
【図８】
0003161122.tif 000010
【図９】
0003161122.tif 000011